【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
情報処理装置であって、
人感センサと、
前記人感センサの出力に基づいて所定期間での前記情報処理装置に向かう人の移動量が所定値以上かどうかを判断し、当該判断の結果に従って、前記情報処理装置の電力状態を制御する、第１制御手段と、を備えることを特徴とする情報処理装置。
【請求項２】
前記第１制御手段は、前記判断の結果に従って、前記情報処理装置の電力状態を第１電力状態から前記第１電力状態より消費電力が大きい第２電力状態に移行する、ことを特徴とする請求項１に記載の情報処理装置。
【請求項３】
表示部をさらに備え、
前記第１電力状態及び前記第２電力状態では、前記表示部は非表示である、ことを特徴とする請求項２に記載の情報処理装置。
【請求項４】
前記情報処理装置を制御する第２制御手段をさらに備え、
前記第１電力状態では、前記第２制御手段への電力供給は停止されるが、前記第２電力状態では、前記第２制御手段への電力供給は停止されない、ことを特徴とする請求項２又は３に記載の情報処理装置。
【請求項５】
印刷部と、
前記印刷部を制御する印刷制御手段と、をさらに備え、
前記第２電力状態では、前記印刷制御手段には電力が供給されるが、前記印刷制御手段は前記印刷部を駆動する駆動信号を出力しない、ことを特徴とする請求項２乃至４の何れか１項に記載の情報処理装置。
【請求項６】
表示部に表示される所定のアイコンが選択されたことに従って、前記印刷制御手段は、前記駆動信号を出力する、ことを特徴とする請求項５に記載の情報処理装置。
【請求項７】
前記第１制御手段は、前記人感センサの出力に基づいて所定のエリアに人が存在するかどうかをさらに判断し、当該判断の結果に従って、前記情報処理装置の電力状態を制御する、ことを特徴とする請求項１乃至６の何れか１項に記載の情報処理装置。
【請求項８】
前記第１制御手段は、前記人感センサの出力に基づいて、所定期間の間、前記所定のエリアに人が存在するかどうかをさらに判断し、当該判断の結果に従って、前記情報処理装置の電力状態をさらに制御する、ことを特徴とする請求項７に記載の情報処理装置。
【請求項９】
表示部と、
ユーザ操作を受け付けるボタンと、をさらに備え、
前記第１制御手段は、前記ボタンがユーザ操作を受け付けたことに従って、前記表示部を点灯させる、ことを特徴とする請求項１に記載の情報処理装置。
【請求項１０】
前記人感センサは、超音波センサである、ことを特徴とする請求項１乃至９の何れか１項に記載の情報処理装置。
【請求項１１】
情報処理装置であって、
人感センサと、
第１タイミングでの前記人感センサからの出力に基づいて前記情報処理装置と人との間の距離に対応する第１値を算出し、前記第１タイミングより遅い第２タイミングでの前記人感センサからの出力に基づいて前記情報処理装置と人との間の距離に対応する第２値を算出し、前記第１値と前記第２値とに基づいて所定期間での距離の変化量を算出する、第１制御手段と、
前記距離の変化量に基づいて前記情報処理装置の電力状態を変更する電力制御手段と、を備えることを特徴とする情報処理装置。
【請求項１２】
前記電力制御手段は、前記距離の変化量に基づいて、前記情報処理装置の電力状態を第１電力状態から前記第１電力状態より消費電力が大きい第２電力状態に移行する、ことを特徴とする請求項１１に記載の情報処理装置。
【請求項１３】
表示部をさらに備え、
前記第１電力状態及び前記第２電力状態では、前記表示部は非表示である、ことを特徴とする請求項１２に記載の情報処理装置。
【請求項１４】
前記情報処理装置を制御する第２制御手段をさらに備え、
前記第１電力状態では、前記第２制御手段への電力供給は停止されるが、前記第２電力状態では、前記第２制御手段への電力供給は停止されない、ことを特徴とする請求項１２又は１３に記載の情報処理装置。
【請求項１５】
印刷部と、
前記印刷部を制御する印刷制御手段と、をさらに備え、
前記第２電力状態では、前記印刷制御手段には電力が供給されるが、前記印刷制御手段は前記印刷部を駆動する駆動信号を出力しない、ことを特徴とする請求項１２乃至１４の何れか１項に記載の情報処理装置。
【請求項１６】
表示部に表示される所定のアイコンが選択されたことに従って、前記印刷制御手段は、前記駆動信号を出力する、ことを特徴とする請求項１５に記載の情報処理装置。
【請求項１７】
前記電力制御手段は、さらに、前記人感センサからの出力に基づいて算出された前記情報処理装置と人との間の距離に対応する値が所定値以下であることに基づいて、前記情報処理装置の電力状態を制御する、ことを特徴とする請求項１２乃至１６の何れか１項に記載の情報処理装置。
【請求項１８】
前記電力制御手段は、前記値が所定時間継続して前記所定値以下であることに基づいて、前記情報処理装置の電力状態をさらに制御する、ことを特徴とする請求項１７に記載の情報処理装置。
【請求項１９】
表示部と、
ユーザ操作を受け付けるボタンと、をさらに備え、
前記電力制御手段は、前記ボタンがユーザ操作を受け付けたことに従って、前記表示部を点灯させる、ことを特徴とする請求項１１に記載の情報処理装置。
【請求項２０】
前記人感センサは、超音波センサである、ことを特徴とする請求項１１乃至１９の何れか１項に記載の情報処理装置。
【請求項２１】
人感センサを備える情報処理装置の制御方法であって、
第１制御手段が、前記人感センサの出力に基づいて所定期間での前記情報処理装置に向かう人の移動量が所定値以上かどうかを判断し、当該判断の結果に従って、前記情報処理装置の電力状態を制御する、第１制御工程、を含むことを特徴とする情報処理装置の制御方法。
【請求項２２】
人感センサを備える情報処理装置の制御方法であって、
第１制御手段が、第１タイミングでの前記人感センサからの出力に基づいて前記情報処理装置と人との間の距離に対応する第１値を算出し、前記第１タイミングより遅い第２タイミングでの前記人感センサからの出力に基づいて前記情報処理装置と人との間の距離に対応する第２値を算出し、前記第１値と前記第２値とに基づいて所定期間での距離の変化量を算出する、第１制御工程と、
電力制御手段が、前記距離の変化量に基づいて前記情報処理装置の電力状態を変更する電力制御工程と、を含むことを特徴とする情報処理装置の制御方法。
【手続補正２】
【補正対象書類名】明細書
【補正対象項目名】発明の名称
【補正方法】変更
【補正の内容】
【発明の名称】情報処理装置、及びその制御方法
【手続補正３】
【補正対象書類名】明細書
【補正対象項目名】０００１
【補正方法】変更
【補正の内容】
【０００１】
本発明は、情報処理装置に接近する人を検知するセンサを備えた情報処理装置、及びその制御方法に関するものである。
【手続補正４】
【補正対象書類名】明細書
【補正対象項目名】０００６
【補正方法】変更
【補正の内容】
【０００６】
本発明は、情報処理装置であって、人感センサと、前記人感センサの出力に基づいて所定期間での前記情報処理装置に向かう人の移動量が所定値以上かどうかを判断し、当該判断の結果に従って、前記情報処理装置の電力状態を制御する、第１制御手段と、を備えることを特徴とする。また、本発明は、情報処理装置であって、人感センサと、第１タイミングでの前記人感センサからの出力に基づいて前記情報処理装置と人との間の距離に対応する第１値を算出し、前記第１タイミングより遅い第２タイミングでの前記人感センサからの出力に基づいて前記情報処理装置と人との間の距離に対応する第２値を算出し、前記第１値と前記第２値とに基づいて所定期間での距離の変化量を算出する、第１制御手段と、前記距離の変化量に基づいて前記情報処理装置の電力状態を変更する電力制御手段と、を備えることを特徴とする。